(57)【特許請求の範囲】
【請求項１】
既存花壇の周壁に沿って設けられる花壇であって、前記既存花壇への散水後の水や雨水等の排水が流れる排水溝に沿って配設され、前記排水が流入する流入空間が設けられた支持部材と、該支持部材と前記排水溝と前記周壁とで囲まれる敷設空間内に敷設され、前記散水後の水や雨水等の排水を吸水する多孔質で保水性を有する珪藻土と該珪藻土より粒径の細かい園芸用土とを下から順に敷き詰められてなる吸水部材と、前記支持部材の設置長さ全長に前記排水溝の底面に設置され、前記吸水部材に吸水されない余剰の前記排水を通水させると共に、その排水が流れる排水空間を前記排水溝との間に形成するメッシュ状の排水部材とからなることを特徴とする花壇。
【発明の詳細な説明】
【０００１】
【発明の属する技術分野】
本発明は、庭、花壇等への散水後の水や雨水等の排水を利用して、人や機械による散水が不要な花壇に関する。
【０００２】
【従来の技術】
従来の花壇では、花壇に植えられている植物に、人間や機械により定期的に散水をおこなう必要があると共に、図７に示すように、アスファルト防水等の屋根防水が施された上に、モルタルやタイル等で表面仕上げがなされた鉄筋コンクリート造の建物の屋上に、屋上庭園として花壇１００が施工される場合には、該花壇１００の周壁１０１に沿って排水溝Ｄを設けて、前記周壁１０１に設けた排水口１０２から排出される花壇１００の排水や屋上床面Ｆを流れる雨水等を処理していた。
【０００３】
【発明が解決しようとする課題】
しかしながら、このように花壇１００の周壁１０１に沿って排水溝Ｄを設けることにより、屋上の外観が損なわれるという問題点があった。
【０００４】
本発明は、上記課題に鑑みてなされたものであり、このような屋上の外観を改善すると共に、散水が不要な花壇を提供することを目的とする。
【０００５】
【課題を解決するための手段】
前記目的を達成するためになされた本発明の請求項１に記載の花壇は、既存花壇の周壁に沿って設けられる花壇であって、前記既存花壇への散水後の水や雨水等の排水が流れる排水溝に沿って配設され、前記排水が流入する流入空間が設けられた支持部材と、該支持部材と前記排水溝と前記周壁とで囲まれる敷設空間内に敷設され、前記散水後の水や雨水等の排水を吸水する多孔質で保水性を有する珪藻土と該珪藻土より粒径の細かい園芸用土とを下から順に敷き詰められてなる吸水部材と、前記支持部材の設置長さ全長に前記排水溝の底面に設置され、前記吸水部材に吸水されない余剰の前記排水を通水させると共に、その排水が流れる排水空間を前記排水溝との間に形成するメッシュ状の排水部材とからなることを特徴とするものである。
【０００７】
【発明の実施の形態】
以下、本発明の実施の形態について図面に基づいて説明する。
本実施の形態に係る花壇１０は、図１に示すように、アスファルト防水等の屋根防水が施された上に、モルタルやタイル等で表面仕上げがなされた鉄筋コンクリート造の建物の屋上に設けられた既存花壇１００の周壁１０１に沿って設けられたものであり、図２に示すように、前記周壁１０１に沿って設けられた排水溝Ｄに沿って配設され、屋上床面Ｆを流れる雨水等が流入する流入空間Ｓ１が設けられた支持部材２０と、前記周壁１０１と支持部材２０と排水溝Ｄとで囲まれた敷設空間Ｓ２内に敷設され、前記周壁１０１の排出口１０２及び前記支持部材２０の流入空間Ｓ１から流出する排水を吸水する吸水部材３０と、前記排水溝Ｄの底面に設置され、前記吸水部材３０に吸水されない余剰の排水を通水させると共に、その排水が流れる排水空間Ｓ３を形成する排水部材４０とからなるものである。以下、更に詳細に説明する。
【０００８】
前記支持部材２０は、図３に示すように、前記排水溝Ｄに沿うように前記屋上床面Ｆ上に所定の間隔をあけて載置された矩形状の木板のスペーサ２１と、該スペーサ２１の上に配設された枕木状の木材である側板２２とからなる。その長さ及び幅は、任意で定めることができるが、その高さは、前記周壁１０１の高さを超えないようにする。そして、前記スペーサ２１を所定の間隔で載置し、その上に前記側板２２を配設することで、該側板２２の下端に前記屋上床面Ｆを流れる雨水等が流入する流入空間Ｓ１を設けている。
【０００９】
なお、本実施の形態では、前記支持部材２０を、前記スペーサ２１と前記側板２２との２部材としたが、前記支持部材２０に、前記屋上床面Ｆを流れる雨水等の排水が流れ込む流入空間Ｓ１を設けることができればよいので、例えばスペーサ２１を設けずに前記側板２２の下部を略コ字形に切り欠いて流入空間Ｓ１を形成させる等してもよく、前記支持部材２０の部材数及びその形状は特に問わない。
【００１０】
前記吸水部材３０は、珪藻土３１と園芸用土３２とからなり、図２に示すように、前記周壁１０１と前記排水溝Ｄと前記支持部材２０とで囲まれた敷設空間Ｓ２内に、下から前記珪藻土３１、前記園芸用土３２の順に敷き詰められる。そして、前記既存花壇１００の周壁１０１に設けられている排水口１０２から排出された排水、屋上床面Ｆを流れて前記流入空間Ｓ１から排出された雨水等の排水を、前記珪藻土３１、前記園芸用土３２がそれぞれ吸水、保水する。
また、前記珪藻土３１は、粒径が大きく多孔質で保水性を有しているので、各珪藻土３１間に間隙３３が形成されて、敷設空間Ｓ２内の排水性、通気性を確保し、植物の根腐れ等を防止するだけでなく、排水の供給がないときには、前記珪藻土３１に蓄えられた水分が、前記珪藻土３１から放出されて、植物に供給される。
【００１１】
本実施形態においては、敷設空間Ｓ２の下方に敷き詰める前記吸水部材３０を、前記珪藻土３１としたが、これに限定されずに、フィラメント状繊維を圧縮接着した不織布や多孔質の合成樹脂等で、強力な吸水力を有しているものが望ましい。
【００１２】
前記排水部材４０は、図３に示すように、メッシュ状の管体を縦方向に２分割したものであり、前記支持部材２０の設置長さ全長に、その切断面を前記排水溝Ｄの底面に向け、伏せるようにして前記排水溝Ｄに設置される。これにより、図２に示すように、前記排水溝Ｄと前記排水部材４０との間に、排水が流れる排水空間Ｓ３が形成されて、排水の流れが円滑になるだけでなく、前記花壇１０内の通気性を確保して植物の根腐れを防止する。また、前記排水部材４０の材質及び厚さは、前記吸水部材３０や植物との重さに耐え得ることができればよく、そのメッシュの大きさは、前記吸水部材３０が落下しない程度であればよい。
そして、図示はしないが、前記排水溝Ｄに設置後は、前記排水部材４０の詰りを防ぎ、かつ詰りの原因となるごみ類を除去するためのメッシュ状の目皿をその両端に設けておく。
【００１３】
なお、本実施の形態では、前記排水部材４０を、長さ方向に２本並列に排水溝Ｄの底面に設置したが、前記支持部材２０と同様に、雨水等の排水が前記排水溝Ｄへ排出される排水空間Ｓ３を形成することができればよいので、その形状はこれに限定されずに、角管でも、メッシュ状の板材を略半円形に湾曲させて形成してもよい。
【００１４】
次に、上記の構成を有する花壇１０の使用について説明する。
まず、図３に示すように、前記排水溝Ｄに沿って、前記スペーサ２１、所望の長さの前記側板２２を配設した後、前記側板２２の両端に、前記排水溝Ｄと直交するように前記側板２２を配設して、図４に示すように、屋上床面Ｆを流れる雨水との排水が流入する流入空間Ｓ１を形成すると共に、前記側板２２と前記排水溝Ｄと前記周壁１０１とで前記吸水部材３０を敷き詰める敷設空間Ｓ２を形成する。
なお、本実施の形態では、前記周壁１０１を支持部材２０とし、前記周壁に設けられている排水口１０２を流入空間Ｓ１としているが、図示はしないが、前記排水溝Ｄがこのような周壁１０１に沿わずに独立して設けられるときには、その排水溝Ｄの両側に前記支持部材２０を配設して前記吸水部材３０を敷設する空間Ｓ２を形成する。
【００１５】
そして、図５に示すように、前記排水部材４０を、前記排水空間Ｓ３を形成するように、前記排水溝Ｄの底面に設置し、その上に前記珪藻土３１、前記園芸用土３２を順に敷き詰める。前記珪藻土３１の上に前記園芸用土３２を敷き詰めることで、前記珪藻土３１より細かい粒径の前記園芸用土３２が、前記排水部材４０に詰まることを防いでいる。また、予め前記園芸用土３２に肥料を混合させておくことができるだけでなく、植物を植えた後で容易に施肥をおこなうことができるので、植物の成長を促進させることができる。
【００１６】
前記園芸用土５０を敷き詰めた後に、図２に示すように、好みの植物を植えて、前記花壇１０を完成させる。前記花壇１０に植えられる植物の種類は、特に限定されないが、根の伸長があまりなく、少量の水でも生育可能な草花類が望ましい。
【００１７】
前記花壇１０の設置後、前記既存花壇１００への散水後の排水及び前記奥除床面Ｆを流れる雨水等の排水は、図６に示すように、前記周壁１０１の排水口１０２、前記支持部材２０の流入空間Ｓ１からそれぞれ排出させて、前記珪藻土３１、前記園芸用土３２それぞれに吸水、保水されると共に、植物の根に供給される。そして、前記珪藻土３１、前記園芸用土３２及び植物の根に休止されなかった余剰の排水は、前記排水部材４０から排水空間Ｓ３に流れ込んで排水溝Ｄに排出される。
【００１８】
【発明の効果】
以上説明したように、本発明の請求項１に記載の花壇は、既存花壇の周壁に沿って設けられる花壇であって、前記既存花壇への散水後の水や雨水等の排水が流れる排水溝に沿って配設され、前記排水が流入する流入空間が設けられた支持部材と、該支持部材と前記排水溝と前記周壁とで囲まれる敷設空間内に敷設され、前記散水後の水や雨水等の排水を吸水する多孔質で保水性を有する珪藻土と該珪藻土より粒径の細かい園芸用土とを下から順に敷き詰められてなる吸水部材と、前記支持部材の設置長さ全長に前記排水溝の底面に設置され、前記吸水部材に吸水されない余剰の前記排水を通水させると共に、その排水が流れる排水空間を前記排水溝との間に形成するメッシュ状の排水部材とからなるので、前記流入空間から排出された排水が、前記吸水部材に保持され植物の根に供給されて、人や機械による定期的な散水が不要であると共に、余剰の排水が前記排水部材から前記排水空間へ排出されて、通気、排水を確実におこなうことができ、植物の根腐れを生じさせることなく植物を好適に育成させることができるという利点がある。また、排水溝の上部に花壇を形成するので、屋上等の外観を損なわないという利点がある。さらに、前記吸水部材が、多孔質であるので、その各孔に水分が保持されて、適度な湿潤雰囲気に保つことができると共に、排水の供給が少ないときは、その孔から水分が放出され、植物の根に供給する事により、植生を維持することができるという利点がある。
【図面の簡単な説明】
【図１】  本発明の実施の形態に係る花壇の概略構成を示す図である。
【図２】本実施の形態の一例を示す断面図である。
【図３】支持部材を示す斜視図である。
【図４】本実施の形態の施工手順の一例を示す斜視図である。
【図５】本実施の形態の施工手順の一例を示す斜視図である。
【図６】本実施の形態の一例を示す断面図である。
【図７】既存の花壇を示す図である。
【符号の説明】
１０  花壇
２０  支持部材
３０  吸水部材
４０  排水部材
１００  既存花壇
Ｓ１  流入空間
Ｓ２  敷設空間
Ｓ３  排水空間
Ｄ  排水溝
Ｆ  屋上床面
【図１】
0003865117.tif 000002
【図２】
0003865117.tif 000003
【図３】
0003865117.tif 000004
【図４】
0003865117.tif 000005
【図５】
0003865117.tif 000006
【図６】
0003865117.tif 000007
【図７】
0003865117.tif 000008